(57)【要約】【課題】地震時に、床面に対して家具をこれが浮き上がったり、位置ずれしたりすることなく、確りと粘着止めできる転倒防止具を提供する。【解決手段】下面１ａが床面に設置され、家具６を受け止める上面１ｂが後ろ下がりに傾斜する防止具本体１が、高粘着性のエラストマーで成形されている。防止具本体１の前端上縁には、上向きに突出する係止縁部３が左右方向にわたって一体に形成されている。防止具本体１の前面および係止縁部３の前面には、非接着性のフィルム材５が一体にインサート成形されている。【選択図】図１
0003116454.tif 000002
【実用新案登録請求の範囲】
【請求項１】
下面（１ａ）が床面に設置され、家具類を受け止める上面（１ｂ）が後ろ下がりに傾斜する防止具本体（１）が、高粘着性のエラストマーで成形されており、
防止具本体（１）の前端上縁に、上向きに突出する係止縁部（３）が左右方向にわたって一体に形成されており、
防止具本体（１）の前面および係止縁部（３）の前面に、非接着性のフィルム材（５）が配されている家具類の転倒防止具。
【請求項２】
防止具本体（１）の前面およびこれに連続する係止縁部（３）の前面が、後方へ傾斜している請求項１記載の家具類の転倒防止具。
【請求項３】
防止具本体（１）に対して、フィルム材（５）が、相溶性を有する合成樹脂で一体にインサート成形されている請求項１または２記載の家具類の転倒防止具。
【請求項４】
フィルム材（５）が、防止具本体（１）の前面および係止縁部（３）の前面に貼着されている請求項１または２記載の家具類の転倒防止具。
【請求項５】
下面（１ａ）が床面に設置され、家具類を受け止める上面（１ｂ）が後ろ下がりに傾斜する防止具本体（１）が、高粘着性のエラストマーで成形されており、
防止具本体（１）に、防止具本体（１）の前面を覆い、かつ防止具本体（１）の上面（１ｂ）の前端より上向きに突出する係止縁部（７ａ）を持つ非接着性の前面カバー（７）が不離一体に接合されている家具類の転倒防止具。
【請求項６】
防止具本体（１）に対して、前面カバー（７）が相溶性を有する同系種の合成樹脂または合成ゴムで一体にインサート成形されている請求項５記載の家具類の転倒防止具。
【請求項７】
前面カバー（７）が、防止具本体（１）よりも硬質である請求項６記載の家具類の転倒防止具。
【考案の詳細な説明】
【技術分野】
【０００１】
本考案は、たんすなどの前端下面と床面との間に差し込んで、家具類の前倒れを防止するための転倒防止具に関する。
【背景技術】
【０００２】
この種の転倒防止具において、上面が後ろ下がりに傾斜する防止具本体の前端上縁に、上向きに突出する係止縁部を左右方向にわたって一体に形成した形態は、特許文献１ないし５に公知である。特許文献１および２では、防止具本体が弾性を有する合成樹脂材またはゴム材で成形されている。特許文献３では、弾性を有する防止具本体の上面に所定幅の粘着テープを配している。
【０００３】
【特許文献１】特開平８−２８０４７２号公報（段落番号００１１、図１）
【特許文献２】特開平７−３４７４９号公報（段落番号００１１、図１）
【特許文献３】登録実用新案第３０１６５００号公報（段落番号００１７〜００１８、００２４、図７）
【特許文献４】実開昭５９−９３２４５号公報（第２頁第１段落、図１）
【特許文献５】特開平８−３３２１３１号公報（段落番号０００９、図１）
【考案の開示】
【考案が解決しようとする課題】
【０００４】
特許文献１および２の転倒防止具は、地震時に背が高いたんすなどの前倒れを防止するに有利である。しかし、防止具本体が粘着性（接着性）を有していないので、床面上で防止具本体が位置ずれしたり、家具が防止具本体上で位置ずれするため、地震対策に十分でなかった。特許文献３の転倒防止具では、防止具本体の上面に粘着テープが配されているので、防止具本体と家具との接着性に多少の改善がみられるが、なお不十分であり、床面との間の位置ずれは未解決のままである。
【０００５】
一方、いわゆる高粘着ゲル素材（エラストマー）を用いて、４０ないし５０mm角で厚さ５mm程度のマットをつくり、このマットを家具の転倒防止や各種設置物の免震固定、防振、防音用に供することが公知である（株式会社ソーゴの商品名ゲルクッション、有限会社ウオチ産業の商品名ゲル・ストッパーなど）。
【０００６】
これらの高粘着性マットは、剥離性を有しながらも高粘着性を持つので、家具類の転倒防止具に用いたとき、先の位置ずれの問題は解消できる。ただし、家具の前面下端にマットを敷設したとき、マット本体の前面にゴミが付着して見苦しい。もともと、ここでのマットは、扁平状であって家具などの下面四隅に敷設することを想定しており、家具の下端前面にのみ敷設して家具の上端を壁側に傾けて家具の前倒れを防止するのには不向きである。家具に対するマットの位置決めも困難である。
【０００７】
そこで本考案は、防止具本体の断面形状は先の特許文献１などの基本形態を踏襲しながら、防止具本体の材質は高粘着性のエラストマーからなる前出のマットと実質的に同じにすることにある。
【０００８】
すなわち本考案の目的は、床面に対する家具類の粘着性、クッション性、地震時の前倒れ防止を狙いながら、ゴミの付着防止を図った家具類の転倒防止具を提供することにある。
【課題を解決するための手段】
【０００９】
本考案に係る家具類の転倒防止具は、図１および図２に示すごとく、下面１ａが床面に設置され、家具類を受け止める上面１ｂが後ろ下がりに傾斜する防止具本体１が、高粘弾性のエラストマーで成形されており、防止具本体１の前端上縁に、上向きに突出する係止縁部３が左右方向にわたって一体に形成されており、防止具本体１の前面および係止縁部３の前面に、非接着性のフィルム材５が配されていることを特徴とする。ここでのフィルム材５は透明、不透明を問わず厚さ１００μｍ以上のシート材も含む。
【００１０】
具体的には、防止具本体１の前面およびこれに連続する係止縁部３の前面を後方へ傾斜させる。フィルム材５を配するについては、防止具本体１に対して、フィルム材５を、相溶性を有する合成樹脂で一体にインサート成形する。インサート成形によらずに、防止具本体１の前面および係止縁部３の前面にわたってフィルム材５を貼着してもよい。
【００１１】
また、本考案に係る家具類の転倒防止具は、図５に示すごとく下面１ａが床面に設置され、家具類を受け止める上面１ｂが後ろ下がりに傾斜する防止具本体１が、エラストマーで成形されており、防止具本体１に、防止具本体１の前面を覆い、かつ、防止具本体１の上面１ａの前端より上向きに突出する係止縁部７ａを持つ非接着性の前面カバー７が不離一体に接合されている。
【００１２】
このときの前面カバー７も防止具本体１に対して互いに相溶性を有する合成樹脂または合成ゴムで一体にインサート成形することができる。前面カバー７は、防止具本体１よりも硬質素材を使用することができる。
【００１３】
防止具本体１を成形する高粘着性のエラストマーとしては、オレフィン系（ＴＰＯ）、スチレン系（ＳＢＳ、ＳＩＳおよびＳＥＢＳ）、ジオレフィン系（ＲＢ）、塩化ビニル系（ＴＲＶＣ）、ウレタン系（ＴＰＵ）、エステル系（ＴＰＥＥ）、アミド系（ＴＰＡ）またはフッ素系などを使用でき、これらの中でもオレフィン系エラストマーが用いて好ましい。
【００１４】
オレフィン系エラストマーとしては、プロピレン、ブテン−１、ヘキセン−１などのα−オレフィン相互の共重合体や、これらα−オレフィン相互と５−エチリデンノルボルネン、ジシクロペンタジエン、１，４−ヘキサジエン、５−メチル−１，４−ヘキサジエン、７−メチル−１，６−オクタジエン、１，９−デカジエンなどの非共役ジエンとの共重合体などがある。
【００１５】
防止具本体１は、上記のようなエラストマーに粘着付与剤を分散混合することで、高粘着性を付与し、いわゆる高粘着ゲル素材と称されているもので成形する。この粘着付与剤としては、クマロン・インデン系樹脂、テルペン系樹脂、ロジン誘導体、フェノール・ホルムアルデヒド系樹脂、アルキルフェノール系樹脂、石油系樹脂、キシレン・ホルムアルデヒド系樹脂、ポリブテン等のオリゴマー、液状ポリイソプレンなどの液状ゴム、流動パラフィンなどを使用できる。
【００１６】
フィルム材５としては、非接着性素材であれば特に限定されず、各種の合成樹脂や金属製のフィルムなどを使用でき、または布帛や紙などでもよい。前面カバー７としては、非接着性を有し、かつ、ある程度の保形性を有する素材であれば特に限定されず、各種の合成樹脂、ゴム、金属、木材などからなるシート状体を使用できる。
【００１７】
防止具本体１に対して、フィルム材５または前面カバー７は、防止具本体１と相溶性のある同系の合成樹脂またはこれを含む合成ゴム製としてインサート成形することが好ましい。
【考案の効果】
【００１８】
請求項１記載の本考案に係る転倒防止具によれば、家具類の前端下面を防止具本体１の傾斜上面１ｂを介して床面に受け止める。これにより、特に背の高い家具は、後面上端が壁にもたれ掛かる後傾姿勢となり、地震時の家具類の前倒れをよく防止できる。
【００１９】
防止具本体１は、高粘着性、ひいては豊かな弾性を有するので、床面および家具類に対して確実に隙間なく密着する。そのうえで防止具本体１は、高粘着性を有するので、剥離性を維持しながら、床面および家具類に対して接着する。これら相まって、本考案の転倒防止具によれば、地震時に家具が床面から浮き上がったり、位置ずれし難く、家具類の転倒防止に有効である。
【００２０】
防止具本体１の前端上縁には、係止縁部３が左右間にわたって一体に突出形成されている。したがって、本案転倒防止具の使用時には、係止縁部３を家具類の前面下端縁に当て付けることにより、家具類に対して防止具本体１を過不足なく、つまり防止具本体１の前面が家具類の前面下端より突出し過ぎたり、退入し過ぎたりすることなく、正しい姿勢で装着でき、使用状態の姿を良好にできる。
【００２１】
とくに本考案によれば、非接着性のフィルム材５で防止具本体１の前面および係止縁部３の前面が覆われているので、長期の使用にわたっても両者１・５の目に付く前面にゴミが付着し難く、付着したゴミでも容易に掃き取れる利点を有する。
【００２２】
請求項２記載の本考案によれば、家具類と前記係止縁部３の上端との間に隙間が生じることがなく、家具類に防止具本体１を端正に装着できる。
【００２３】
請求項３記載の本考案によれば、防止具本体１とフィルム材５とがインサート成形で一体化されているので、安価に大量生産できる。防止具本体１からフィルム材５が不用意に剥がれることがなく、防止具本体１が圧縮変形を受けても、フィルム材５は同調して皺付きを生じ難く、見栄えが良い。
【００２４】
請求項４記載の本考案によれば、色柄が異なるフィルム材５を数種類用意すれば、防止具本体１に対してフィルム材５を貼り替えることにより、転倒防止具のデザインを多様に変更できる。
【００２５】
請求項５記載の本考案に係る転倒防止具によれば、請求項１記載のフィルム材５が前面カバー７に置換されているだけなので、請求項１記載の考案の作用効果を同時に奏する。
【００２６】
請求項６記載の本考案によれば、請求項５記載の転倒防止具において、前面カバー７が防止具本体１に対して相溶性を有する材質で一体にインサート成形されているので、防止具本体１から前面カバー７が不用意に剥がれることがなく、防止具本体１が圧縮変形を受けても、前面カバー７は同調して皺付きを生じ難く、見栄えが良い。
【００２７】
請求項７記載の本考案によれば、前面カバー７が防止具本体１よりも硬質であるから、防止具本体１側に係止縁部３を形成した場合に比べてより確実に家具類の前面下端縁を安定的に受け止めることができる。
【考案を実施するための最良の形態】
【００２８】
（実施例１）  図１ないし図４は、本考案に係る転倒防止具の実施例１を示す。これの防止具本体１は、前方から後方にかけて徐々に薄肉となっており、その下面１ａは水平な平坦面に形成されていて、上面１ｂが後ろ下がりに傾斜している。防止具本体１の上面１ｂには、左右方向に走る多数の凹凸条２が列設されている。
【００２９】
防止具本体１の前縁上端には、上向きに突出する係止縁部３が左右方向にわたって一体に形成されている。防止具本体１の前面は、上方にいくに従って後方へ傾斜しており、これに連続する係止縁部３の前面も後方へ傾斜している。
【００３０】
係止縁部３を含む防止具本体１は、高粘着性を有するエラストマーで成形されており、防止具本体１および係止縁部３の前面には、非接着性のフィルム材５がインサート成形により一体に配されている。具体的には、防止具本体１をオレフィン系のエラストマーで成形し、フィルム材５には防止具本体１と同系のオレフィン系のポリプロピレン製フィルムを使用した。
【００３１】
本案転倒防止具の製造に際しては、ポリプロピレン製のフィルム材５を金型内に装填し、その金型内にポリプロピレンとエチレン−プロピレンゴムと粘着付与剤とをブレンドした溶融原料を注入して両者を一体にインサート成形した。
【００３２】
このようにして得られた本案転倒防止具は、防止具本体１の上面１ａおよび下面１ｂに剥離紙を貼着して包装し、流通の場に供する。本案転倒防止具を使用するには、防止具本体１の下面１ａおよび上面１ｂから剥離紙を剥がし、いったん家具６を後方へ傾け、家具６の前端と床面との間に生じた隙間を利用して、家具６の前端下面に防止具本体１をこれの係止縁部３が家具６の前面下端に当接する状態で貼り着ける。防止具本体１の左右長さはとくに制限されず、家具６の横幅に合わせて長く形成しておくこともできるが、１０〜３０cmの長さに切断して使用することが好ましい。この場合、本案転倒防止具は、図３のように少なくとも家具６の左右両端近傍の２箇所に敷設すれば足りるであろう。
【００３３】
防止具本体１は、高粘着性を有するので、図４に示すごとく豊かな弾性を有して家具６の重みで圧縮変形し、家具６および床面に隙間なく密着しながら接着する。防止具本体１の上面１ｂは傾斜しているので、屋内の壁に対して家具６を後傾姿勢に添わせることができる。
【００３４】
以て、家具６は、これの前端下面に防止具本体１をかました状態で元に戻すと、後傾姿勢で床面に対して強固に貼着されているので、地震などが起きた際にも、家具６が浮き上がったり位置ずれしたりすることがなく、家具６の前倒れを確実に防止できる。家具６の配置変えをする場合でも、これから防止具本体１を簡単に剥ぎ取ることができる。
【００３５】
目に付きやすい防止具本体１の前面のフィルム材５に塵埃が付着しても、フィルム材５これ自体は接着性を有しないので、これに付着のゴミは簡単に拭き取れる。
【００３６】
（実施例２）  図５は本考案に係る転倒防止具の実施例２を示す。ここでの防止具本体１は床面に設置される下面１ａが水平状の平坦面に形成されていて、上面１ｂが後ろ下がりに傾斜している。防止具本体１には、これの前面を覆い、かつ防止具本体１の上面１ｂの前端よりも上向きに突出する係止縁部７ａを持つ非接着性の前面カバー７が、防止具本体１と不離一体に設けられている。実施例２の防止具本体１もオレフィン系エラストマーで形成し、前面カバー７はポリプロピレン製の所定厚みを有する板材で形成した。ここでの前面カバー７も、防止具本体１に対して一体にインサート成形した。
【００３７】
ポリプロピレン製の前面カバー７は、防止具本体１よりも硬質なので、防止具本体１が圧縮変形を受けても、前面カバー７が変形し難く外観上の体裁を良好に維持できた。その前面カバー７の肉厚は、係止縁部３としての機能を確保できる程度あればよい。すなわち、家具６の下面に防止具本体１を敷設した際に、家具６の前面を確り捕捉できる程度の強度があれば足りる。その他は先の実施例１と同様なので、同じ部材に同じ符号を付して、その説明を省略する。
【００３８】
（実施例３）  図６は本考案に係る転倒防止具の実施例３を示しており、防止具本体１の前面およびこれに一体形成した係止縁部３の前面に、実施例２の前面カバー７が一体にインサート成形されている。ここでの前面カバー７は防止具本体１の前端下面にまで回り込む断面Ｌ字状に形成されており、前面カバー７の上端部７ａが先の係止縁部３と協同して家具６の前面下端に突き当たるようになっている。前面カバー７の上端部７ａは、請求項５記載の本考案で言うところの係止縁部３に該当する。
【００３９】
実施例３の転倒防止具によれば、係止縁部３を含めて防止具本体１の前端部の保形性が良好となり、防止具本体１が家具６の重みで圧縮変形したときでも見栄えの良さを確保できる。その他は、先の実施例１、２と同様なので、同じ部材には同じ符号を付してその説明を省略する。
【００４０】
（その他の実施例）  実施例１のフィルム材５や実施例２、３の前面カバー７は、接着剤で防止具本体１に接着してもよい。この場合のフィルム材５や前端カバー７は、合成樹脂材やゴム材の他に、例えば金属材、木材、紙材、布帛なども使用できる。
【００４１】
なお、更なる位置ずれ防止のために、防止具本体１の下面１ａは、凹凸状に形成されていてもよい。
【図面の簡単な説明】
【００４２】
【図１】実施例１の転倒防止具の外観斜視図
【図２】実施例１の転倒防止具の縦断側面図
【図３】実施例１の転倒防止具の使用状態を説明する斜視図
【図４】実施例１の転倒防止具の使用状態における要部の縦断側面図
【図５】実施例２の転倒防止具の縦断側面図
【図６】実施例３の転倒防止具の縦断側面図
【符号の説明】
【００４３】
１  防止具本体
３  係止縁部
５  フィルム材
６  家具
７  前面カバー
【図１】
0003116454.tif 000003
【図２】
0003116454.tif 000004
【図３】
0003116454.tif 000005
【図４】
0003116454.tif 000006
【図５】
0003116454.tif 000007
【図６】
0003116454.tif 000008